(57)【要約】【課題】水の侵入を確実に防止しつつ筐体内の温度が上昇した空気を効率的に筐体外部に逃がす上で有利な撮像制御装置および防滴カバーを提供する。【解決手段】カバー５０が上壁４０に取着された状態で、通風孔４２に臨む本体壁５２の部分を除いたカバー５０の箇所に通風路５６が設けられ、かつ、通風路５６は筐体３０の上壁４０がカバー５０の外方に露出しないように屈曲した形状で形成されている。上方からカバー５０の外面に水滴が落下した場合に、水滴は、屈曲した通風路５６の箇所にいったんぶつかりその勢いが緩和された後、通風路５６を通って上壁４０に滴下され、上壁４０上に導かれる。上壁４０に滴下される水滴はその勢いが弱くなっているため、上壁４０に当たった水滴の飛まつが通風孔４２へ侵入することを防止でき、しかも、通風路５６による空気の流通が確保された状態を維持できる。【選択図】        図１６
2006295803.tif 000002
【特許請求の範囲】
【請求項１】
被写体像を撮影して撮像信号を生成するカメラ部に脱着可能に連結され前記撮像信号が入力されるとともにその撮像信号を映像信号に変換し外部装置に供給する撮像制御装置であって、
上方に臨む上壁を有する筐体と、前記上壁に取着され前記上壁との間に空間を画成するカバーとを備え、
前記上壁に前記筐体内部と前記空間とを連通する通風孔が設けられ、
前記カバーは前記通風孔を含む前記上壁の箇所を覆う本体壁を有し、
前記通風孔に臨む前記本体壁の部分を除いた前記本体壁の箇所に、前記本体壁が前記空間に臨む前記本体壁の内面と、前記内面とは反対側に位置する前記本体壁の外面とを連通する通風路が設けられ、
前記通風路は、前記筐体の上壁が前記本体壁の外面に露出しないように屈曲あるいは湾曲した形状で形成されている、
ことを特徴とする撮像制御装置。
【請求項２】
前記通風路は、前記本体壁上を延在する溝で形成されており、前記溝の延在方向と直交する方向における断面形状が、前記筐体の上壁が前記カバーの外面に露出しないように屈曲あるいは湾曲した形状で形成されていることを特徴とする請求項１記載の撮像制御装置。
【請求項３】
前記通風孔と前記通風路との間に位置する前記本体壁の内面箇所に、前記上壁に向かって突出する水滴跳ね返り防止用壁部が設けられていることを特徴とする請求項１記載の撮像制御装置。
【請求項４】
前記通風路が前記本体壁の内面に開口される箇所で前記通風孔寄りの箇所に、前記本体壁の内面から前記上壁に向かって突出する水滴跳ね返り防止用壁部が設けられていることを特徴とする請求項１記載の撮像制御装置。
【請求項５】
前記本体壁は、前後方向の長さと左右方向の幅を有し、通風路は、前記通風孔の左右両側に位置するように前記本体壁の左右両端寄りの箇所においてそれぞれ左右に間隔をおき本体壁上を前後方向に延在する複数の溝で形成されており、前記本体壁の左右の両端寄りの箇所にそれぞれ設けられた複数の溝のうち、最も通風孔に近い溝が前記本体壁の内面に開口される箇所で通風孔寄りの箇所に、前記本体壁の内面から前記上壁に向かって突出する水滴跳ね返り防止用壁部が、前記最も通風孔に近い溝の延在方向に沿って延在形成されていることを特徴とする請求項１記載の撮像制御装置。
【請求項６】
前記本体壁は、前記内面と前記外面との間の厚さを有し、前記通風路は、前記厚さ方向と直交する方向に延在する横路部分を含んで構成されていることを特徴とする請求項１記載の撮像制御装置。
【請求項７】
前記通風孔は円形であり、前記上壁に前記通風孔の周囲を囲むように円筒状の起立壁が突設されていることを特徴とする請求項１記載の撮像制御装置。
【請求項８】
前記起立壁の上部外周面の全周にわたり半径方向外方に突出する環板状のフランジが設けられていることを特徴とする請求項７記載の撮像制御装置。
【請求項９】
前記筐体には、前記筐体内の空気を前記筐体外に排出するファンが設けられていることを特徴とする請求項１記載の撮像制御装置。
【請求項１０】
被写体像を撮影して撮像信号を生成するカメラ部に脱着可能に連結され前記撮像信号が入力されるとともにその撮像信号を映像信号に変換し外部装置に供給する撮像制御装置であって、
上方に臨む上壁を有する筐体と、前記上壁に取着され前記上壁との間に空間を画成するカバーとを備え、
前記上壁に前記筐体内部と前記空間とを連通する通風孔が設けられ、
前記通風孔に臨む前記カバーの部分を除いた前記カバーの箇所に、前記空間と前記カバーの外部とを連通する通風路が設けられ、
前記通風孔はその断面が円形に形成され、
前記上壁に前記通風孔の周囲を囲むように円筒状の起立壁が突設されている、
ことを特徴とする撮像制御装置。
【請求項１１】
前記起立壁の上部外周面の全周にわたり半径方向外方に突出する環板状のフランジが設けられていることを特徴とする請求項１０記載の撮像制御装置。
【請求項１２】
電子機器の筐体に取着される防滴カバーであって、
前記防滴カバーは、前記筐体に取着された状態で前記筐体に臨む内面と、この内面の反対側に位置する外面とを有し、
前記防滴カバーに、前記内面と前記外面とを連通する通風路が設けられ、
前記通風路は、前記内面に臨む空間が前記防滴カバーの外部に露出しないように屈曲あるいは湾曲した形状で形成されている、
ことを特徴とする防滴カバー。
【発明の詳細な説明】
【技術分野】
【０００１】
本発明はカメラ部から供給される撮像信号を映像信号に変換する撮像制御装置に関する。
【背景技術】
【０００２】
カメラ、特に、放送局などで使用されるカメラ部とＶＴＲ部とが一体化された業務用カメラにおいては、その筐体に通風孔が形成され、内部に設けられた電源回路などによって熱せられた空気を、前記通風孔を通して筐体外部に逃がすようにしている。
ところが、このようなカメラを雨天やプールサイドなどのような水滴が掛かる環境下で使用すると、水滴が前記通風孔を通って筐体内部に進入し内部の電気部品を故障させるおそれがある。
このような不都合を回避するために、形状記憶合金からなるカバーを前記通風孔に取り付けたカメラが提案されている（特許文献１参照）。
このカメラでは、筐体内部の温度が上昇した場合にはカバーが湾曲して前記通風孔を開放して筐体内部で熱せられた空気を通風孔を通して外部に逃がす一方、雨天など環境温度が低めで筐体内部の温度が上昇しない場合には、カバーが前記通風孔を閉塞し水滴の侵入を防止するようにしている。
【特許文献１】実開昭６２−１３０７６号公報
【発明の開示】
【発明が解決しようとする課題】
【０００３】
近年、このようなカメラとして、被写体像を撮影して撮像信号を生成するカメラ部と、前記撮像信号を映像信号に変換し外部装置に供給する撮像制御装置とを別々に設け、それらカメラ部と撮像制御装置とを脱着可能に連結したものが提供されている。
このような撮像制御装置では、カメラ部と撮像制御装置が別体に形成されているため、撮像制御装置の筐体内の空間が狭くなり筐体内に熱がこもりやすくなる。しかも、近年、撮像制御装置は、ハイビジョンに対応した映像信号の高画質化、あるいは、種々のアダプタに対する電源供給容量の増加などの高機能化および高性能化に伴い撮像制御装置の筐体内部の電装部で発生する熱量が増加する傾向にある。
このような撮像制御装置では、雨天などの環境下であっても筐体内部の温度が上昇することが避けられないため、上述した従来技術では、通風孔が開放され水滴が筐体内に侵入してしまうことが懸念される。
本発明はこのような事情に鑑みなされたものであり、その目的は、水の侵入を確実に防止しつつ筐体内の温度が上昇した空気を効率的に筐体外部に逃がす上で有利な撮像制御装置および防滴カバーを提供することにある。
【課題を解決するための手段】
【０００４】
上述の目的を達成するため、本発明は、被写体像を撮影して撮像信号を生成するカメラ部に脱着可能に連結され前記撮像信号が入力されるとともにその撮像信号を映像信号に変換し外部装置に供給する撮像制御装置であって、上方に臨む上壁を有する筐体と、前記上壁に取着され前記上壁との間に空間を画成するカバーとを備え、前記上壁に前記筐体内部と前記空間とを連通する通風孔が設けられ、前記カバーは前記通風孔を含む前記上壁の箇所を覆う本体壁を有し、前記通風孔に臨む前記本体壁の部分を除いた前記本体壁の箇所に、前記本体壁が前記空間に臨む前記本体壁の内面と、前記内面とは反対側に位置する前記本体壁の外面とを連通する通風路が設けられ、前記通風路は、前記筐体の上壁が前記本体壁の外面に露出しないように屈曲あるいは湾曲した形状で形成されていることを特徴とする。
また、本発明は、被写体像を撮影して撮像信号を生成するカメラ部に脱着可能に連結され前記撮像信号が入力されるとともにその撮像信号を映像信号に変換し外部装置に供給する撮像制御装置であって、上方に臨む上壁を有する筐体と、前記上壁に取着され前記上壁との間に空間を画成するカバーとを備え、前記上壁に前記筐体内部と前記空間とを連通する通風孔が設けられ、前記通風孔に臨む前記カバーの部分を除いた前記カバーの箇所に、前記空間と前記カバーの外部とを連通する通風路が設けられ、前記通風孔はその断面が円形に形成され、前記上壁に前記通風孔の周囲を囲むように円筒状の起立壁が突設されていることを特徴とする。
また、本発明は、電子機器の筐体に取着される防滴カバーであって、前記防滴カバーは、前記筐体に取着された状態で前記筐体に臨む内面と、この内面の反対側に位置する外面とを有し、前記防滴カバーに、前記内面と前記外面とを連通する通風路が設けられ、前記通風路は、前記内面に臨む空間が前記防滴カバーの外部に露出しないように屈曲あるいは湾曲した形状で形成されていることを特徴とする。
【発明の効果】
【０００５】
本発明によれば、撮像制御装置を雨天などの環境下で使用し上方からカバーの外面に水滴が落下した場合に、水滴は、屈曲あるいは湾曲した通風路の箇所にいったんぶつかりその勢いが緩和されるので、水滴の飛まつの通風孔への侵入を防止することができる。
また、本発明によれば、通風孔が円形であり、通風孔の周囲を囲むように円筒状の起立壁が突設されているため、筐体が水平状態から傾斜した際に、上壁に溜まった水が起立壁の円筒状の外周面に沿って円滑に移動され、水抜き用孔などからカバーの外方へ排出されるため、上壁に溜まった水の通風孔内への侵入を防止することができる。
また、本発明の防滴カバーによれば、防滴カバー上に落下した水滴は、屈曲あるいは湾曲した通風路の箇所にいったんぶつかりその勢いが緩和されるので、水滴の筐体内部への侵入を防止する上で有利となる。
【発明を実施するための最良の形態】
【０００６】
以下、本発明を、カメラが業務用カメラである場合を例にとって説明するが、本発明は業務用カメラ以外のカメラにも無論適用される。
（第１の実施の形態）
次に本発明の第１の実施の形態について図面を参照して説明する。
図１は第１の実施の形態における撮像制御装置を有する業務用カメラの右側面図、図２は同業務用カメラの左側面図、図３は図１のＡ矢視図である。
図４は第１の実施の形態における撮像制御装置の断面図である。
図５は第１の実施の形態における撮像制御装置の斜視図、図６は同撮像制御装置のカバーを取り外した状態を示す斜視図、図７は図６のＸＸ線断面図である。
図８は第１の実施の形態における撮像制御装置のフレームの斜視図、図９は図８のＡ矢視図、図１０は図８のＢ矢視図、図１１は図８のＣ矢視図、図１２は図８のＤ矢視図、図１３は図８のＥ矢視図、図１４は図８のＦ矢視図である。
図１５は撮像制御装置の右側面図、図１６は図１５のＸＸ線断面図である。
図１７（Ａ）はカバーの平面図、（Ｂ）は（Ａ）のＢ矢視図である。
図１８（Ｃ）は図１７（Ｂ）のＣ矢視図、（Ｄ）は（Ｃ）のＤ矢視図である。
図１９（Ｅ）は図１７（Ａ）のＥ矢視図、（Ｆ）は図１７（Ａ）のＦ矢視図である。
図２０はフレームの上壁における水滴の移動を示す説明図である。
【０００７】
図１乃至図３に示すように、業務用カメラ１００は、カメラ部１０と、撮像制御装置２０とを備え、カメラ部１０の後部と撮像制御装置２０の前部とは脱着可能に連結されている。
業務用カメラ１００は複数台が同時に使用されるものであり、複数台の業務用カメラ１００の各撮像制御装置２０にケーブルを介してそれぞれカメラコントロールユニットが接続され、それらカメラコントロールユニットはマスター制御装置に接続されており、各業務用カメラ１００とマスター制御装置との間で、あるいは、各業務用カメラ１００とカメラコントロールユニットとの間で映像、音声などのやり取りがなされ、また、業務用カメラ１００同士で音声のやり取りがなされるように構成されている。
カメラ部１０は、撮像素子が組み込まれた筐体１２と、筐体１２の前面に設けられ被写体を前記撮像素子に導く鏡筒１４と、筐体１２の上部に設けられた取っ手１６などを備えている。
鏡筒１４には着脱可能に交換レンズ１８が装着されている。
【０００８】
図５、図６に示すように、撮像制御装置２０は、筐体３０と、筐体３０に収容された電装部と、カバー５０（特許請求の範囲の防滴カバーに相当）とを備えている。
筐体３０は、上下方向の高さと前後方向の長さと左右方向の幅を有するフレーム３２と、フレーム３２に取着されるカバー部材３３（３３Ａ、３３Ｂ、３３Ｃ）とを含んで構成されている。
なお、カメラ部１０の筐体１４の下部と、撮像制御装置２０の筐体３０の下部とにわたって、肩に掛けるための上方に窪んだ凹部３１が設けられている。
図８に示すように、フレーム３２は、前部３４と、前部３４の後端から後方に突出する後部３６と、前部３２０２の下部後端から後方に突出する下部３８とを備えている。
図４に示すように、前部３４には、電装部を構成する複数のプリント基板１０２が収容されている。
図３、図４に示すように、後部３６には、操作パネル１０６が設けられ、操作パネル１０６には、撮像制御装置２０の操作を行うための複数の操作部材と、各操作部材に近接して操作部材の機能用途が表示された表示部などが設けられている。
また、操作パネル１０６には、前記カメラコントロールユニットに接続されるケーブル用のコネクタ１０８、音声のやり取りを行うためのインカム（通話装置）を接続するコネクタ１１０などが設けられている。
下部３８には、コネクタパネル１１２が設けられ、このコネクタパネル１１２には、電源を受電するためのコネクタ１１４、電源を給電するためのコネクタ１１６、画像のやり取りを行うためのコネクタ１１８、音声のやり取りを行うためのコネクタ１２０などが設けられている。
なお、前記電装部は、カメラ部１０から供給される撮像信号を映像信号、例えばコンポーネント信号（Ｙ／Ｒ−Ｙ／Ｂ−Ｙ信号）に変換し、前記カメラコントロールユニットに伝送する機能を有しており、前記映像信号は電気信号として変換される場合と光信号として変換される場合がある。
また、前記電装部は、前述した映像、音声などのやり取りを行うための機能、外部に電源を給電するための機能も有している。
【０００９】
図５に示すように、フレーム３２の前部３４の前面には、カメラ部１０の後面に着脱可能に連結される着脱部３９が設けられている。
フレーム３２の前部３４の左右、後部３６の左右および後部３６の後面、下部３８の左右および下部３８の後面には、それぞれカバー部材３３Ａ、３３Ｂ、３３Ｃが取着されている。なお、これらカバー部材３３Ａ、３３Ｂ、３３Ｃは、一体であってもよく別体であってもよい。
【００１０】
図６に示すように、筐体３０は、より詳細には、フレーム３２は、前部３４の上面と後部３６の上面とにわたって上方に臨む上壁４０を備えている。
カバー５０は、上壁４０に着脱可能に取着され、上壁４０に取着されることで上壁４０との間に空間Ｓを画成しつつ上壁４０を覆うように形成されている。
【００１１】
図８、図９、図１６に示すように、上壁４０の左右方向の中間部に、前部３４の内部および後部３６の内部に連通する複数の放熱用の通風孔４２が設けられている。
通風孔４２は断面が円形であり、上壁４０に通風孔４２の周囲を囲むように上壁４０から円筒状の起立壁４４が突設されている。
また、図８、図９に示すように、上壁４０には、ビューファインダーなどのアクセサリー取り付け用のボス部４６が複数突設され、ボス部４６の上端面には雌ねじ４６０２が形成されている。
また、上壁４０の四隅には、カバー取り付け用のボス部４８がそれぞれ突設され、ボス部４８の上端面には雌ねじ４８０２が形成されている。
【００１２】
図１６乃至図１９に示すように、カバー５０は通風孔４２を含む上壁４０の表面の箇所を覆う矩形状の本体壁５２と、本体壁５２の四辺から屈曲された側壁５４を有しており、前部の側壁５４は他の側壁５４よりも下方に突出して形成されている。
本体壁５２が上壁４０に臨む面（空間Ｓに臨む面）がカバー５０の内面５００２であり、内面５００２と反対側の面がカバー５０の外面５００４であり、本体壁５２は内面５００２と外面５００４との間の厚さを有している。
通風孔４２に臨む本体壁５２の部分を除いた箇所に、内面５００２と外面５００４とを連通するように放熱用の通風路５６が設けられている。
通風路５６は、図１７（Ａ）、図１８（Ｃ）に示すように、本実施の形態では、本体壁５２上を前後に延在する溝５６０１として形成され、この溝５６０１は左右に間隔をおき複数設けられている。
本実施の形態では、通風路５６は、通風孔４２の左右両側に位置するように本体壁５２の左右両端寄りの箇所においてそれぞれ左右に間隔をおき本体壁５２上を前後方向に延在する３つの溝５６０１で形成されている。
通風路５６は、図１６に示すように、筐体３０の上壁４０（内面５００２に臨む空間Ｓ）がカバー５０の外方に露出しないように屈曲した形状で形成されている。なお、通風路５６を筐体３０の上壁４０がカバー５０の外方に露出しないように湾曲した形状で形成してもよいことは無論である。
本実施の形態では、通風路５６は、カバー５０の外面５００４から内面５００２に向かって延在する上路部分５６０２と、上路部分５６０２の下端から本体壁５２の厚さ方向と直交する方向に延在する横路部分５６０４と、横路部分５６０４の下端から内面５００２に向かって延在し内面５００２に開口する下路部分５６０６とで構成され、内面５００２と外面５００４とを連通している。
【００１３】
図１６、図１８（Ｃ）に示すように、通風孔４２と通風路５６との間に位置する本体壁５２の内面５００２箇所に、上壁４０に向かって突出する水滴跳ね返り防止用壁部５８が設けられている。
本実施の形態では、本体壁５２の左右の両端寄りの箇所にそれぞれ設けられた複数の溝５６０１のうち、最も通風孔４２に近い溝５６０１が本体壁５２の内面５００２に開口される箇所で通風孔４２寄りの箇所に、本体壁５２の内面５００２から上壁４０に向かって突出する水滴跳ね返り防止用壁部５８が、最も通風孔４２に近い溝５６０１の延在方向に沿って延在形成されている。
図１７（Ａ）、図１８（Ｃ）に示すように、本体壁５２には、カバー５０を上壁４０に取り付けた状態でボス部がカバー５０の外面に露出する円形の窓５２１０が複数形成されている。
また、図７、図１７（Ａ）に示すように、本体壁５２には、カバー５０を上壁４０に合わせた状態でボス部４８の雌ねじ４８０２に臨むようにボルト取り付け座５２１２が貫通形成されている。
図１７（Ｂ）、図１８（Ｄ）に示すように、側壁５４には、前後に間隔をおいて水抜き孔５９が複数形成されている。水抜き孔５９は切り欠きとして形成されていてもよい。
【００１４】
図１３において、符号１０４は前記電装部の一部を構成する電源を示し、符号１０６は排気ファンを示している。
電源１０４は、電装部を構成する部材、部品のうち最も発熱量が大きいものである。
排気ファン１０６は、筐体３０内の温度が上昇した際に回転駆動されるもので、排気ファン１０６の回転により外気が複数の通風路５６、空間Ｓ、複数の通風孔４２を通って筐体３０の内部に導かれ、電源１０４を含む電装部の回りを通ってそれら電装部を外気により冷却し、その外気を排気孔３５から筐体３０の外部に排出させるように構成されている。
なお、排気ファン１０６によって外気を通風路５６、空間Ｓ、通風孔４２を通して筐体３０の内部に導くようにすることで、排気ファン１０６の騒音が通風路５６、空間Ｓ、通風孔４２を通して筐体３０の上方の外部に放出され、これにより、撮像制御装置２０を肩に載せて使用している使用者の耳元に伝達されることを防止している。
【００１５】
次に本実施の形態の作用効果について説明する。
図５、図７に示すように、カバー５０は、ボルト５１がボルト取り付け座５２１２を介してカバー取り付け用のボス部４８の雌ねじ４８０２に螺合されることで筐体３０の上壁４０に取着される。
図１６に示すように、カバー５０が上壁４０に取着された状態で、通風孔４２に臨む本体壁５２の部分を除いたカバー５０の箇所に通風路５６が設けられ、かつ、通風路５６は筐体３０の上壁４０がカバー５０の外方に露出しないように屈曲した形状で形成されている。
したがって、撮像制御装置２０を雨天などの環境下で使用し上方からカバー５０の外面に水滴が落下した場合に、水滴は、屈曲した通風路５６の箇所にいったんぶつかりその勢いが緩和された後、通風路５６を通って上壁４０に滴下され、上壁４０上に導かれる。上壁４０上に溜まった水は、カバー５０の水抜き用孔５９からカバー５０の外方へ排出される。
この際、上壁４０に滴下される水滴はその勢いが弱くなっているため、上壁４０に当たった水滴の飛まつが通風孔４２へ侵入することを防止でき、しかも、通風路５６による空気の流通が確保された状態を維持できるので、水の侵入を確実に防止しつつ筐体３０内の温度が上昇した空気を効率的に筐体３０外部に逃がす上で有利となる。
また、本実施の形態では、通風孔４２と通風路５６との間に位置する本体壁５２の内面４００２箇所に、上壁４０に向かって突出する水滴跳ね返り防止用壁部５８が設けられているので、上壁４０に滴下された水滴の飛まつが通風孔４２へ侵入することをより確実に防止することができる。
なお、本実施の形態のように、水滴跳ね返り防止用壁部５８を、通風路５６が本体壁５２の内面４００２に開口される箇所で通風孔４２寄りの箇所に設ければ、上壁４０に滴下された水滴の飛まつが通風孔４２へ侵入することを防止する上でより有利となる。
また、カバー５０と通風孔４２を含む上壁４０の間に空気が流通可能なスポンジなどの吸水性部材を介在させることで、水滴の飛まつが通風孔４２に侵入することを防止する構成も考えられる。この場合には吸水性部材が吸収可能な水の量に限界があり、また、吸水性部材のコストが余分にかかるが、本実施の形態では、このような吸水性部材は必要とせず前記不都合はない。
【００１６】
また、本実施の形態では、上壁４０に設けた通風孔４２が円形であり、通風孔４２の周囲を囲むように円筒状の起立壁４４が上壁４０から突設されているため、図２０に示すように、筐体３０が水平状態から左右方向に傾斜した際に、図中矢印で示すように、上壁４０上面に溜まった水が起立壁４４の円筒状の外周面をその周方向に沿って円滑に移動され、水抜き用孔５９からカバー５０の外方へ排出されるため、上壁４０上面に溜まった水が起立壁４４を乗り越えて通風孔４２内に侵入することを防止する上で有利となる。
これに対して、通風孔４２が角型であり、上壁４０に通風孔４２の四辺を囲むように断面が矩形枠状の起立壁４４が形成されていた場合には、筐体３０が左右方向に傾斜した際に、上壁４０上面に溜まった水は起立壁４４の外面で停滞しやすく、停滞した水が起立壁４４を乗り越えて通風孔４２内に侵入することが懸念されるが、本実施の形態ではそのような不都合を確実に防止できる。
また、本実施の形態では、排気ファン１０６が動作しない場合には、筐体３０内で電源１０４により暖められた空気が上方に移動し通風孔４２、空間Ｓ、通風路５６を通って円滑に外部に逃げる。
一方、排気ファン１０６が動作した場合には、通風路５６、空間Ｓ、通風孔４２を通って外気が筐体３０の内部に流入する空気流れが形成されるが、この場合にも、通風路５６が筐体３０の上壁４０がカバー５０の外方に露出しないように屈曲した形状で形成され、さらに、通風孔４２と通風路５６との間に水滴跳ね返り防止用壁部５８が位置しているので、水滴の飛まつが通風孔４２へ侵入することを確実に防止することができる。
【００１７】
次に、図２１を参照して通風路の変形例について説明する。
図２１（Ａ）は通風路の変形例１の断面図、（Ｂ）は通風路の変形例２の断面図を示す。
変形例１、２では、ともに通風路５６は左右に間隔をおき前後に延在する溝により形成されている。
変形例１では、通風路５６が設けられる本体壁５２部分に、前後に延在する厚さの薄い底壁５６１２が設けられ、底壁５６１２の上方に前後に延在する帯板５６１４が設けられ、さらに、帯板５６１４の下方の底壁５６１２部分と、底壁５６１２の内側部分とにそれぞれ前後に延在する溝５６１６、５６１８が形成されている。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、横路部分５６０４の下端から内面５００２に向かって延在し内面５００２に開口する下路部分５６０６（溝５６１６、５６１８）とで構成されている。
変形例２では、通風路５６が設けられる本体壁５２部分に、前後に延在する厚さの薄い底壁５６１２が設けられ、底壁５６１２の上方に前後に延在する帯板５６１４が設けられ、帯板５６１４の下方の底壁５６１２部分に前後に延在する溝５６１６が形成されている。
さらに、帯板５６１４の下面の左右方向の中央部には下方に突出する補強リブ５６２０が帯板５６１４の長手方向に沿って延在形成され、補強リブ５６２０の下部は溝５６１６内に位置している。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、補強リブ５６２０の左右両側において横路部分５６０４の下端から内面５００２に向かって延在し内面５００２に開口する下路部分５６０６とで構成されている。
このような変形例１、２の通風路５６によっても実施の形態と同様な効果が奏される。
【００１８】
次に、図２２を参照して起立壁４４の変形例について説明する。
図２２は通風孔４２および起立壁４４付近の断面図を示す。
この変形例に係る起立壁４４では、実施の形態と同様に、上壁４０から円形の通風孔４２の周囲を囲むように円筒状に突設され、さらに起立壁４４の上部外周面の全周にわたり半径方向外方に突出する環板状のフランジ４４２０が設けられている。
このような変形例の起立壁４４によれば、実施の形態と同様な効果が奏されることは無論のこと、フランジ４４２０を備えるので、上壁４０上面に溜まった水が起立壁４４を乗り越えて通風孔４２内に侵入することを防止する上でより有利となる。
【００１９】
次に、上壁４０の上面の変形例について説明する。
図２３は上壁４０の上面の変形例の断面図である。
この変形例では、上壁４０の上面に、断面がドーム状の多数の微細な凸部４０２０を形成したものである。
この変形例によれば、通風路５６を通って上壁４０の上面上に侵入した水滴の勢いを、凸部４０２０の湾曲した面により減衰でき、上壁４０に当たった水滴の飛まつが通風孔４２へ侵入することを防止する上でより有利となる。
【図面の簡単な説明】
【００２０】
【図１】第１の実施の形態における撮像制御装置を有する業務用カメラの右側面図である。
【図２】同業務用カメラの左側面図である。
【図３】図１のＡ矢視図である。
【図４】第１の実施の形態における撮像制御装置の断面図である。
【図５】第１の実施の形態における撮像制御装置の斜視図である。
【図６】同撮像制御装置のカバーを取り外した状態を示す斜視図である。
【図７】図６のＸＸ線断面図である。
【図８】第１の実施の形態における撮像制御装置のフレームの斜視図である。
【図９】図８のＡ矢視図である。
【図１０】図８のＢ矢視図である。
【図１１】図８のＣ矢視図である。
【図１２】図８のＤ矢視図である。
【図１３】図８のＥ矢視図である。
【図１４】図８のＦ矢視図である。
【図１５】撮像制御装置の右側面図である。
【図１６】図１５のＸＸ線断面図である。
【図１７】（Ａ）はカバーの平面図、（Ｂ）は（Ａ）のＢ矢視図である。
【図１８】（Ｃ）は図１７（Ｂ）のＣ矢視図、（Ｄ）は（Ｃ）のＤ矢視図である。
【図１９】（Ｅ）は図１７（Ａ）のＥ矢視図、（Ｆ）は図１７（Ａ）のＦ矢視図である。
【図２０】図フレームの上壁における水滴の移動を示す説明図である。
【図２１】（Ａ）は通風路の変形例１の断面図、（Ｂ）は通風路の変形例２の断面図を示す。
【図２２】通風孔４２および起立壁４４付近の断面図である。
【図２３】上壁４０の上面の変形例の断面図である。
【符号の説明】
【００２１】
２０……撮像制御装置、３０……筐体、４０……上壁、５０……カバー、４２……通風孔、４４……起立壁、５２……本体壁、５００２……内面、５００４……外面、５６……通風路、Ｓ……空間。
【図１】
2006295803.tif 000003
【図２】
2006295803.tif 000004
【図３】
2006295803.tif 000005
【図４】
2006295803.tif 000006
【図５】
2006295803.tif 000007
【図６】
2006295803.tif 000008
【図７】
2006295803.tif 000009
【図８】
2006295803.tif 000010
【図９】
2006295803.tif 000011
【図１０】
2006295803.tif 000012
【図１１】
2006295803.tif 000013
【図１２】
2006295803.tif 000014
【図１３】
2006295803.tif 000015
【図１４】
2006295803.tif 000016
【図１５】
2006295803.tif 000017
【図１６】
2006295803.tif 000018
【図１７】
2006295803.tif 000019
【図１８】
2006295803.tif 000020
【図１９】
2006295803.tif 000021
【図２０】
2006295803.tif 000022
【図２１】
2006295803.tif 000023
【図２２】
2006295803.tif 000024
【図２３】
2006295803.tif 000025